(57)【要約】【課題】伝送路品質を劣化させることなく、上位装置への通知を減らし、監視を円滑に実施可能にするＳＤＨ伝送システムを提供する。【解決手段】切替部の制御を状態遷移部１０により行う。状態遷移部１０には、運用系側のアラーム情報１１、予備系側のアラーム情報１２および前状態を示すフィードバック信号１４に加えて、例えばステータス０〜ステータス５の６ビットのステータス信号１５を入力し、一定時間内に両系で同じ事象が発生した場合には、変化が生じる前の状態へ切替を自動的に切り戻す。【選択図】      図１
2004214867.tif 000002
【特許請求の範囲】
【請求項１】
運用系および予備系を含む冗長構成であり、前記運用系又は前記予備系の事象発生状態に応じて切替部により前記運用系から前記予備系又はその逆に無瞬断で切り替えるように構成されたＳＤＨ伝送システムにおいて、
予め設定された一定時間内に前記運用系および前記予備系に同じ事象が発生するか否かを監視し、同じ事象が発生したとき前記切替部を変化が生じる前の状態へ切り戻すことを特徴とするＳＤＨ伝送システム。
【請求項２】
前記事象は、前記運用系および前記予備系の両系にて切替の要因となるエラーの発生であることを特徴とする請求項１に記載のＳＤＨ伝送システム。
【請求項３】
前記切替部の制御は、前記運用系および前記予備系からのアラーム情報および前記切替部の前状態を示すフィードバック信号に加えて複数のステータス信号を入力とする状態遷移部により行うことを特徴とする請求項１又は２に記載のＳＤＨ伝送システム。
【請求項４】
前記複数のステータス信号の１つにタイマを設け、前記一定時間経過後にタイムアウトを出力することを特徴とする請求項１、２又は３に記載のＳＤＨ伝送システム。
【請求項５】
前記タイマの設定時間を、バタツキ保護期間に対応する監視区間とすることを特徴とする請求項４に記載のＳＤＨ伝送システム。
【請求項６】
前記複数のステータス信号は、前状態が前記運用系および前記予備系の両系異常状態であるか否かのステータス０、前記監視区間に対応するタイムアウト状態を示すステータス１、前記監視区間内で前記運用系および前記予備系の何れの系を監視するかを表すステータス２、前記監視区間内でどの警報を監視するかを表すステータス３、前記監視区間内で監視対象が発生したことを示すステータス４および前記タイマ起動時の選択方向を示すステータス５を含むことを特徴とする請求項３、４又は５に記載のＳＤＨ伝送システム。
【発明の詳細な説明】
【０００１】
【発明の属する技術分野】
本発明は、ＳＤＨ伝送システムに関し、特にＳＤＨ伝送システムにおける故障無瞬断切替時のバタツキを防止技法に関する。
【０００２】
【従来の技術】
ＳＤＨ（Ｓｙｎｃｈｒｏｎｏｕｓ  Ｄｉｇｉｔａｌ  Ｈｉｅｒａｒｃｈｙ：同期デジタルハイアラーキ）伝送システムは、１９８８年にＩＴＵ−Ｔ（国際電気通信連合電気通信標準化部門）が制定した、国際標準のデジタル伝送多重化構成である。１５６Ｍｂｐｓを基本として、１５６Ｍｂｐｓ×Ｎ（Ｎは、任意整数）の伝送速度のデジタル伝送システムを構成する。斯かる技術分野における従来技術、特にクロック擾乱時における装置の誤動作を防止する技術が開示されている（例えば、特許文献１参照。）。
【０００３】
【特許文献１】
特開平７−６４６６６号公報（第３〜４頁、図１）
【０００４】
図１２は、従来のＳＤＨ伝送システムにおける無瞬断切替装置の構成を示すブロック図である。このＳＤＨ伝送システム１００は、運用系１０１Ａおよび予備系（又は非運用系）１０１Ｂの冗長構成を有する。これら運用系１０１Ａおよび予備系１０１Ｂの切替時に、運用系１０１Ａおよび予備系１０１Ｂの装置内遅延を、それぞれ遅延部１０２Ａおよび１０２Ｂを有する遅延調整部１０２により遅延時間を調整して一致させる。即ち、ＰＯＨ（オーバーヘッド）のＪ１バイトによるマルチフレームの同期を取ることで、運用系１０１Ａおよび予備系１０１Ｂの遅延差を吸収して、切替部１０３により切り替えることで実現する。ＰＯＨ上のＢ３バイトによるエラー検出とＰ−ＡＩＳ（警報表示信号：Ａｌａｒｍ  Ｉｎｄｉｃａｔｉｏｎ  Ｓｉｇｎａｌ）検出により、エラー発生時の自動切替を無瞬断で実現している。
【０００５】
次に、図１３は、図１２に示す切替部１０３の切替制御を行う切替制御部の具体例を示す。即ち、状態遷移（切替判定）部１１０により、切替指示制御信号１１３を出力して切替部１０３の切替制御を行う。この状態遷移部１１０には、運用系１０１Ａ側のアラーム情報１１１、予備系１０１Ｂ側のアラーム情報１１２および前の状態を示すフィードバック信号１１４が入力される。
【０００６】
次に、図１４は、従来のＳＤＨシステム１００の動作を説明するタイミングチャートである。上位監視系の監視がポーリングによる一定周期で状態収集を行い且つ数回（例えば、３回）の保護を持たせた場合の実際の切替と通知の関係を示している。図１４において、（ａ）は、一定周期で行なわれるポーリング周期を示す。（ｂ）および（ｃ）は、それぞれ運用系１０１Ａおよび予備系１０１Ｂのエラー発生状態を示し、「１」がエラー発生状態であり、「０」はエラー発生なし（正常）である。（ｄ）は、実際の切替動作を示し、（ｅ）は実際の上位監視装置からの運用系選択又は予備系選択通知を示す。
【０００７】
この方式を使用する場合に、マルチフレーム同期用のＪ１バイトへの同期タイミング生成のため、Ｊ１バイトの挿入ポイント以前に発生したＢ３エラーおよび装置外で起きた障害に関しては、エラーが存在するフレームが切替ポイントにおいては、同一タイミングで入力されるために、切替は起こらない。しかし、Ｐ−ＡＩＳに関しては、Ｊ１挿入ポイントから位相調整部までのシステムにおけるポインタ終端および挿入点の数により、タイミングにズレが生じてしまう。これにより、装置外で発生した障害に対して、装置内での不要な切替が発生する。また、同条件下でエラーが瞬時発生および復旧を繰り返した場合には、監視系に上がる切替の通知が多発し、重要な警報を監視不可能な状態に陥る。
【０００８】
斯かる事態に対応するためには、次の２つの方式が提案されている。
（１）監視系の収集をポーリング形式による収集とし、通知の多発を抑止する。
（２）切替に保護を持たせ、切替自体を抑止する。
前者の場合には、瞬時的に切替が起きる場合を監視できない可能があり、対応を必要とする重要な障害を見落とすことがある。また、障害のタイミングとアラームの入力状態においては、エラー入力前の切替状態とエラー入力後の切替状態で選択系が異なり、結果的に切替が通知される場合がある。
【０００９】
図２（Ｂ）〜図９（Ｂ）に示す８つの状態を示す具体例について説明する。これら各図において、（ａ）は運用系１０１Ａのアラーム情報１１１、（ｂ）は予備系１０１Ｂのアラーム情報１１２および（ｃ）は状態遷移部１１０からの出力である切替状態信号１１３である。これらアラーム情報１１１、１１２において、アラーム有無をそれぞれ「１」および「０」で示す。また、切替状態信号１１３において、運用系１０１Ａ選択を「０」、予備系選択を「１」で示し、予め運用系１０１Ａが選択されている状態「０」を示す。
【００１０】
図２（Ｂ）に示す例１は、両系ともアラーム無しから、運用系１０１Ａ側に先にアラームが検出された場合である。切替状態信号１１３は、このアラーム発生時点で予備系選択状態「１」になる。図３（Ｂ）に示す例２は、両系ともアラーム無し状態から予備系１０１Ｂに先にアラームが検出された場合である。切替状態信号１１３は、運用系選択「０」のままで変化しない。図４（Ｂ）に示す例３は、両系ともアラーム無し状態から運用系１０１Ａに先に瞬時アラームが検出され、その後予備系１０１Ｂにも瞬時アラームが検出された場合である。切替状態信号１１３は、これら両アラーム間のみ予備系選択状態「１」となる。図５（Ｂ）に示す例４は、両系ともアラーム無し状態から予備系に瞬時アラームが発生し、その後運用系にも瞬時アラームが発生した場合である。切替状態信号１１３は、運用系の瞬時アラーム発生時に予備系選択状態になる。
【００１１】
一方、図６（Ｂ）に示す例５は、両系ともアラーム有り状態であり、運用系が先にアラーム無し（復旧）になり、その後予備系もアラーム無しになる場合である。切替状態信号１１３は、運用系選択状態「０」のままで変化しない。図７（Ｂ）に示す例６は、両系ともアラームアリ状態であり、予備系が先にアラーム無しになり、その後運用系がアラーム無しになる場合である。切替状態信号１１３は、予備系がアラーム無しになった時点で予備系選択状態「１」となる。図８（Ｂ）に示す例７は、両系ともアラーム有り状態であり、運用系のアラームが先に瞬時復旧し、その後運用系のアラームが瞬時復旧する場合である。切替状態信号１１３は、予備系が瞬時復旧した時点で予備系選択状態になる。最後に、図９（Ｂ）に示す例８は、両系ともアラーム状態から予備系が先に瞬時復旧し、その後運用系が瞬時復旧する場合である。切替状態信号１１３は、予備系の瞬時復旧から運用系の瞬時復旧まで予備系選択状態になる。
【００１２】
上述の如く、運用系および予備系の両系でアラームを検出しているにも拘らず、例１、例４、例６および例７の場合には、最終的な切替方向が事象（アラーム）発生前と異なる。従って、切替が見えてしまう状態が存在することとなる。
【００１３】
一方、後者の場合には、無瞬断で切替を禁止することで実現しているため、伝送路系の品質を向上させている無瞬断機能を妨げることとなり、伝送路品質の劣化を招く可能性がある。この場合には、切替の許可ビットを設け、一度切替が発生した場合に、切替許可ビットを「切替禁止」に設定し、上位の監視、制御系の装置から一定時間中に、切り戻しが発生するような事態が発生した場合には、上位制御系から切り戻しを実施し、切替動作自体をマスクする機能を有している。この機能により、切替通知のバタツキ自体は抑止されるが、切替（切り戻し）時のエラーの救済は不可能であり、下流装置に対して、エラーを含むフレームを流してしまう。また、バタツキ時の切替を切り戻しがあった場合に、マスクしているため、ＳＤレベル（１０の−６乗以下のエラー）に関しては、上位の監視装置に対して、何の警報も上げず、内在する障害の通知を行わない。
【００１４】
【発明が解決しようとする課題】
第１の問題点は、瞬時発生した装置外の障害に対して、装置内における不要な切替通知が多発することである。即ち、装置外部での障害により、装置内切替が多発し監視系にて、他の警報を確認することに時間がかかり且つ障害箇所の特定にも労力を要してしまう。第２の問題点は、通知を抑止（即ち、切替自体を抑止）した場合に、保護がないと救済できたエラーを、切替保護により救済ができずに、無瞬断切替の利点である伝送路品質を劣化させてしまうことである。
【００１５】
【発明の目的】
本発明は、従来技術の上述した課題に鑑みなされたものであり、ポーリングによる上位監視装置からの切替状態の監視に際して、伝送路の品質を劣化させることなく且つ不要な警報の多発を抑えて、監視を容易にするＳＤＨ伝送システムを提供することを目的とする。
【００１６】
【課題を解決するための手段】
前述の課題を解決するため、本発明によるＳＤＨ伝送システムは次のような特徴的な構成を有する。
【００１７】
（１）運用系および予備系を含む冗長構成であり、前記運用系又は前記予備系の事象発生状態に応じて切替部により前記運用系から前記予備系又はその逆に無瞬断で切り替えるように構成されたＳＤＨ伝送システムにおいて、
予め設定された一定時間内に前記運用系および前記予備系に同じ事象が発生するか否かを監視し、同じ事象が発生したとき前記切替部を変化が生じる前の状態へ切り戻すＳＤＨ伝送システム。
【００１８】
（２）前記事象は、前記運用系および前記予備系の両系にて切替の要因となるエラーの発生である上記（１）のＳＤＨ伝送システム。
【００１９】
（３）前記切替部の制御は、前記運用系および前記予備系からのアラーム情報および前記切替部の前状態を示すフィードバック信号に加えて複数のステータス信号を入力とする状態遷移部により行う上記（１）又は（２）のＳＤＨ伝送システム。
【００２０】
（４）前記複数のステータス信号の１つにタイマを設け、前記一定時間経過後にタイムアウトを出力する上記（１）、（２）又は（３）のＳＤＨ伝送システム。
【００２１】
（５）前記タイマの設定時間を、バタツキ保護期間に対応する監視区間とする上記（４）のＳＤＨ伝送システム。
【００２２】
（６）前記複数のステータス信号は、前状態が前記運用系および前記予備系の両系異常状態であるか否かのステータス０、前記監視区間に対応するタイムアウト状態を示すステータス１、前記監視区間内で前記運用系および前記予備系の何れの系を監視するかを表すステータス２、前記監視区間内でどの警報を監視するかを表すステータス３、前記監視区間内で監視対象が発生したことを示すステータス４および前記タイマ起動時の選択方向を示すステータス５を含む上記（３）、（４）又は（５）のＳＤＨ伝送システム。
【００２３】
【発明の実施の形態】
以下、本発明によるＳＤＨ伝送システムの好適実施形態の構成および動作を、添付図面を参照して詳細に説明する。
【００２４】
先ず、図１は、本発明によるＳＤＨ伝送システムの好適実施形態の切替部を制御する制御部の説明図を示す。この切替部の制御部は、状態遷移部（切替判定部）１０を有し、この状態遷移部１０には、上述した従来技術の如く運用系側のアラーム情報１１、予備系側のアラーム情報１２および前回の制御状態を示すフィードバック信号１４が入力され、切替指示（制御）信号１３を出力する。即ち、この状態遷移部１０には、既存の無瞬断切替に最低限必要な信号として、（１）現段階での選択方向および切替の状態、（２）新しい運用予備の状態および（３）新しい切替方向および切替状態が入力される。
【００２５】
更に、図１に示す本発明によるＳＤＨ伝送システムにあっては、状態遷移部１０には、上述した運用系側のアラーム情報１１、予備系側のアラーム情報１２、切替指示信号１３からフィードバックされる現状態としてのフィードバック１４に加えてステータス０〜ステータス５の６ビットのステータス信号（又はステータスビット）１５を出力する。そして、これらステータスビット１５を加工して入力している。即ち、図１３に示す従来技術に対して更に６ビットのステータス信号１５を付加し、新状態と選択方向を出力に加えている。これらステータス信号１５により新選択方向を切り替えるように構成している。また、ステータスの１ビット（例えば、ステータス１）を使用して、タイマ１６を起動させ、このタイマ１６のタイムアウトを状態遷移部１０に入力する。
【００２６】
図１に示す構成により、主信号系のエラー状態（アラーム情報）に基づいて切替を行う。この構成により切替を行った場合には、６ビットのステータス信号１５、即ちステータス０〜ステータス５を出力する。このステータス信号１５を加工し、６ビットの入力として前状態を示すレジスタより構成されている。ここで、ステータス０〜ステータス５は、次の通りである。
ステータス０：前状態が両系異常状態であるか否かの情報。
ステータス１：バタツキの発生又は今後発生する可能性があるため、その監視区間（時間）内であるか否かを判定するタイマ１６の起動信号。状態遷移部１０への入力時には、タイマのタイムアウト状態を示す。
ステータス２：監視区間内で、どちらへの選択を監視するかを表す信号。
ステータス３：監視区間内で、どの警報を監視するかを表す信号。
ステータス４：監視区間内で監視対象が発生したことを示す信号。
ステータス５：タイマ起動時（切替が発生した場合は、その前の状態）の選択方向を示す信号。
【００２７】
次に、図２（Ａ）〜図９（Ａ）のタイミングチャートを参照して、例１乃至例８の８つの状態に基づいて、本発明のＳＤＨ伝送システムの動作を説明する。これら例１乃至例８は、図２（Ｂ）〜図９（Ｂ）と同様である。即ち、図２（Ａ）に示す例１は、両系アラームがない状態において、運用系側に先にアラームが検出され、バタツキ保護時間内に予備系においてもアラームが検出された場合である。図３（Ａ）に示す例２は、両系アラームがない状態において、予備系に先にアラームが検出され、バタツキ保護時間内に運用系においてもアラームが検出された場合である。図４（Ａ）に示す例３は、両系アラームがない状態において、運用系に先に瞬時アラームが検出され、バタツキ保護時間内に予備系においても瞬時アラームが検出された場合である。図５（Ａ）に示す例４は、両系アラームがない状態において、予備系に先に瞬時アラームが検出され、バタツキ保護時間内に運用系においても瞬時アラームが検出された場合である。図６（Ａ）に示す例５は、両系アラーム状態において、運用系が先にアラームが復旧し、バタツキ保護時間内に予備系においてもアラームが復旧した場合である。図７（Ａ）に示す例６は、両系アラーム状態において、予備系が先にアラーム復旧し、バタツキ保護時間内に運用系もアラーム復旧した場合である。図８（Ａ）に示す例７は、両系アラーム状態において、運用系のアラームが先に瞬時復旧し、バタツキ保護時間内に予備系アラームも瞬時復旧した場合である。また、図９（Ａ）に示す例８は、両系アラーム状態において、予備系アラームが瞬時復旧し、バタツキ保護時間内に運用系アラームも瞬時復旧した場合である。
【００２８】
図２（Ａ）〜図９（Ａ）のタイミングチャートにおいて、（ａ）は運用系のアラーム情報、（ｂ）は予備系のアラーム情報、（ｃ）は切替部の切替状態、（ｄ）はステータス０、（ｅ）はステータス１の出力、（ｆ）はステータス１の入力（タイマ１６からのタイムアウト出力）、（ｇ）はステータス２、（ｈ）はステータス３、（ｉ）はステータス４および（ｊ）はステータス５である。これら図２（Ａ）〜図９（Ａ）に示すタイミングチャートの全体時間は、従来技術の切替抑止動作の場合と同様に（ポーリングによる最小検出時間である図１４（ａ）に示す時間Ｔに比べて充分短い時間）内での動作を示している。
【００２９】
（例１の場合）
図２（Ａ）に示す如く、運用系にアラームが発生した場合には、状態遷移部１０の出力として、予備系への切替が発生すると共にバタツキ防止タイマ（ステータス１）１６のビットが「１」となり、タイマ起動中となる。この場合のバタツキ保護監視対象（ステータス２およびステータス３）としては予備系側のアラームとなり、ステータス２＝「１」、ステータス３＝「１（アラーム時１）」を出力する。ステータス１〜ステータス３が前状態として状態遷移部１０に入力された場合には、その値を保持する形でタイムアウトまで（ステータス１＝「１」となるまで）継続する。その継続中において、（切替前段階においての）予備系側でアラームが発生した場合には、両系異常であるため、運用系側への切り戻しアクションは実行されず、監視対象であるアラームが検出されたとして、ステータス４＝「１」として状態遷移から出力される。この状態も、他のステータス同様に前状態として状態遷移部１０へ入力され、バタツキ保護時間内においては、入力はそのまま出力される。この状態において、タイムアウト（図２（Ａ）の（ｆ）参照）が発生した場合には、ステータス４が「１」となっていることから、ステータス５の前状態フラグ（この場合は運用系）を参照して、運用系側へ切替を実施する。
【００３０】
（例２の場合）
図３（Ａ）に示す如く、予備系でアラームが発生した場合に、状態遷移部１０の出力として、切替は行わずにバタツキ防止タイマ（ステータス１）ビットが「１」となり、タイマを起動する。尚、この場合バタツキ保護時間内の監視対象（ステータス２およびステータス３）は、運用系側のアラーム状態となり、ステータス２＝「０」、ステータス３＝「１」を出力する。ステータス１、ステータス２およびステータス３が前状態として状態遷移部１０に入力された場合、その値を保持する形でタイムアウト（ステータス＝「１」となる）まで継続する。その継続中において、運用系側でアラームが発生した場合には、両系異常となるために予備系の切替が行われず、監視対象である運用系のアラームを検出することで、状態遷移部１０は、ステータス４＝「１」を出力する。この状態も、他のステータス同様に前状態として状態遷移部１０に入力され、タイムアウト時（ステータス１＝「１」）にステータス４の監視対象がありと判定されるので、ステータス５の前状態フラグ（この場合は運用系）を参照して、運用系側へ切替を行おうとするが、既に運用系側を選択しているので、この時点で切替は発生しない。
【００３１】
（例３の場合）
図４（Ａ）に示す如く運用系側にてアラームが発生した場合には、状態遷移部１０の出力として予備系へ切替が発生すると共にバタツキ防止タイマ（ステータス１）ビットが「１」となり、タイマ１６を起動する。尚、この場合のバタツキ保護時間内の監視対象（ステータス２およびステータス３）は、予備系側のアラーム状態となり、ステータス２＝「１」、ステータス３＝「１」（アラーム時「１」）を出力する。ステータス１、ステータス２およびステータス３が前状態として状態遷移部１０に入力された場合には、その値を保持する形でタイムアウト（ステータス１＝「１」となる）まで継続する。その継続中において、（切替前段階においての）予備系側でアラームが発生した場合には、運用系側への切り戻しアクションが実行される。
【００３２】
更に、監視対象であるアラームが検出されたとして、ステータス４＝「１」として状態遷移部１０から出力される。この状態も、他のステータス同様に前状態として状態遷移部１０に入力され、バタツキ保護時間内においては、入力はそのまま出力される。この状態において、タイムアウトが発生した場合には、ステータス４が「１」となっていることから、今回発生した切替は不要であると判断して、前状態（ステータス５）が運用系との判断より、（切替発生前段階において）運用系側へ切替（切り戻し）を実行する。これにより、上位監視系においては、切替のアクションは検出されない。
【００３３】
（例４の場合）
図５（Ａ）に示す如く予備系でアラームが発生した場合には、状態遷移部１０の出力として、切替は実行せずにバタツキ防止タイマ（ステータス１）ビットが「１」となり、タイマ１６を起動する。尚、この場合バタツキ保護時間内の監視対象（ステータス２およびステータス３）は、運用系側のアラーム状態となり、ステータス２＝「０」、ステータス３＝「１」を出力する。ステータス１、ステータス２およびステータス３が前状態として状態遷移部１０に入力された場合には、その値を保持する形でタイムアウト（ステータス＝「１」となる）まで継続する。その継続中において、運用系側でアラームが発生した場合には、予備系の切替が実行され、監視対象である運用系のアラームを検出することで、状態遷移部１０はステータス４＝「１」を出力する。この状態も、他のステータス同様に前状態として状態遷移部１０に入力され、タイムアウト時（ステータス１＝「１」）にステータス４の監視対象がありと判定されるので、ステータス５の前状態フラグ（この場合は運用系）を参照して、運用系側へ切替を実行する。
【００３４】
（例５の場合）
図６（Ａ）に示す如く両系アラーム状態において、運用系が先に復旧した場合には、タイマ起動（ステータス１）のみ起動する。この場合の監視対象（ステータス２およびステータス３）は、予備系の正常状態（ステータス２＝「１」、ステータス３＝「０」）となる。タイマ起動中に予備系側でもアラームが復旧した場合には、監視対象の発生によりステータス４＝「１」となる。尚、この場合も、両系正常状態であるので切替は実行されない。この状態でタイムアウト（ステータス１＝「１」）となった場合には、監視対象検出（ステータス４＝「１」）であるので、前状態に戻るために、前状態フラグ（ステータス５）を参照し、運用系側の切替を実行するが、既に運用系を選択しているので、ここでは切替は発生しない。
【００３５】
（例６の場合）
図７（Ａ）に示す如く両系アラーム状態において、予備系が先に復旧した場合には、予備系への切替が実行されると共にタイマ起動（ステータス１）する。この場合には、監視対象は運用系側の正常状態（ステータス２＝「０」、ステータス３＝「０」となる。タイマ起動中に運用系側も復旧した場合には、監視対象の検出によりステータス４＝「１」となるが、両系正常状態であるため、切替は実行されない。タイムアウト（ステータス１＝「１」）となった状態で、監視対象検出（ステータス４＝「１」）であるために、前状態フラグ（ステータス５＝「０」）であることを参照し、運用系側へ切り替わる。
【００３６】
（例７の場合）
図８（Ａ）に示す如く両系アラーム状態において、運用系が先に瞬時復旧した場合には、切替を行わず、バタツキ防止タイマ起動中（ステータス１＝「１」）となる。この時の監視対象（ステータス２およびステータス３）は、予備系側の正常状態（ステータス２＝「１」、ステータス３＝「０」）となる。タイマ起動中に予備系側で瞬時復旧した場合には、運用系側に切り替わると共に監視対象検出（ステータス４＝「１」）となる。タイムアウト（ステータス１＝「１」）時に監視対象検出（ステータス４＝「１」）であることから、前状態（ステータス５）を参照し、「０」であることから運用系に切替を実行しようとするが、既に運用系を選択しているので切替は発生しない。
【００３７】
（例８の場合）
最後に、図９（Ａ）に示す如く両系アラーム状態において、予備系が先に瞬時復旧した場合には、予備系側に切替が実行され、バタツキ防止タイマ（ステータス１）が起動する。この時の監視対象（ステータス２およびステータス３）は、運用系側の正常状態であり、ステータス２＝「０」およびステータス３＝「０」となる。タイマ起動中に運用系で瞬時復旧した場合には、運用系側への切替が発生し、監視対象検出（ステータス４＝「１」）となる。タイムアウト時に監視対象検出（ステータ４＝「１」）であることから、前状態（ステータス５）を参照し、運用系側へ切替を実行する。
【００３８】
尚、上述した８例は全て、運用系側を選択した状態から始まっているが、予備系の選択状態から始まっても同様の動作を行う。更に、従来技術との相違点を具体的に説明するため、上述した例３と例４の具体的動作を、図１０および図１１を参照して説明する。
【００３９】
図１０において、（ａ）は運用系側のエラー、（ｂ）は予備系側のエラー、（ｃ）は上位監視装置からの通知、（ｄ）〜（ｇ）は従来技術の動作、（ｈ）〜（ｋ）は本発明による動作を示す。（ｄ）および（ｈ）は実際の切替動作、（ｅ）および（ｉ）は切替禁止状態、（ｆ）および（ｊ）は切り戻しトリガ、（ｇ）および（ｋ）は下流に抜けるエラーを示す。例３による運用系における瞬時エラー検出後に、予備系で瞬時エラーが検出される場合には、Ｆ／Ｗの読み出し保護があるために、上位監視装置側への切替通知は共に発出しない。但し、実際の切替動作、切り戻しのタイミングに違いがある。本動作例では、タイマ起動のタイミングおよび動作は同じで、運用系でのエラーを検出して予備系へ切り替わる。
【００４０】
また、従来技術では、切替後タイマ起動中は切替を禁止しているため、次に予備系側でエラーが発生した場合には、運用系側がエラー無しの状態であるにも関わらず切替を実行しないため、下流に対してエラーが含まれるデータを送出する。
【００４１】
これに対して、本発明ではタイマ起動中であっても、切替を禁止していないため、予備系でエラーを検出した際に、運用系側へ切替を実行する。これにより、下流に対してエラー無しのデータ送出が可能である。尚、従来技術で切替を禁止している理由は、本発明のようなタイマ起動時に切替前の状態を保持していないため、タイムアウト時点での判断が切り戻すか、何もしないかの制御しか出来ないためである。
【００４２】
一方、図１１に示す例４の場合において、（ａ）は運用系側のエラー、（ｂ）は予備系側のエラー、（ｃ）〜（ｆ）は従来技術の動作、（ｇ）〜（ｊ）は本発明の動作を示す。（ｃ）および（ｇ）は実際の切替動作、（ｄ）および（ｈ）は切替禁止状態、（ｅ）および（ｉ）は切り戻しトリガ、（ｆ）および（ｊ）は上位監視装置からの通知を示す。例４の予備系側で瞬時エラーが検出された後に運用系側で瞬時エラーを検出した場合には、従来技術では、運用系側でエラーが発生した後で切替が発生し、それと同じタイミングでタイマを起動しているため、切替後に予備系でのエラーを検出しないため、タイムアウト時の切り戻しを行わず、予備系選択のままとなってしまう。しかし、本発明によると、タイマの起動条件が切替ではなく、状態の変化であるため、予備系側でエラーを検出した時点でタイマが起動し、タイマ起動中にトリガソースである運用系側のエラーを検出するため、タイムアウト時点でタイマ起動前の運用系へ切替を実行することで、切替をマスクすることが可能となっている。
【００４３】
以上、ＳＤＨ伝送システムの好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００４４】
【発明の効果】
以上の説明から理解される如く、本発明のＳＤＨ伝送システムによると、次の如き実用上の顕著な効果が得られる。第１に、上位の監視装置への通知の増加を抑えることが可能である。その理由は、無瞬断切替機能は伝送路品質を第１に切替をＢ３エラー１ビット発生しただけで、切替をしてしまうことにより、上位の監視系においては、エラーの発生状況によっては、切替の通知が多発するが、ハードウエア（Ｈ／Ｗ）的に切り戻すことにより、上位監視装置から監視できる範囲では、切替の通知を抑える機能を有しているからである。
【００４５】
第２に、切替通知を抑えた状態でも、伝送路の高品質が保持可能である。その理由は、従来の切替抑止機能は実際の切替を禁止することで実現していたため、Ｂ３エラーの検出による切替を禁止したために、エラーが下流装置に抜け、伝送路の品質を劣化させていたが、本発明では、最終的に元に戻る機能となっているため、伝送路の品質劣化を引き起こさないからである。
【００４６】
第３に、装置外からのエラーを含んだ信号を受信しても、装置内の切替が発生しない。その理由は、バタツキ防止により、装置外からの故障に対しても、切り戻しが実現可能となり、装置内の切替が外部要因により発生しないように動作できるからである。
【図面の簡単な説明】
【図１】本発明によるＳＤＨ伝送システムの好適実施形態の主要部である切替制御部の構成図である。
【図２】切替部の例１における切替動作タイミングチャートであり、（Ａ）は本発明、（Ｂ）は従来の場合を示す。
【図３】切替部の例２における切替動作タイミングチャートであり、（Ａ）は本発明、（Ｂ）は従来の場合を示す。
【図４】切替部の例３における切替動作タイミングチャートであり、（Ａ）は本発明、（Ｂ）は従来の場合を示す。
【図５】切替部の例４における切替動作タイミングチャートであり、（Ａ）は本発明、（Ｂ）は従来の場合を示す。
【図６】切替部の例５における切替動作タイミングチャートであり、（Ａ）は本発明、（Ｂ）は従来の場合を示す。
【図７】切替部の例６における切替動作タイミングチャートであり、（Ａ）は本発明、（Ｂ）は従来の場合を示す。
【図８】切替部の例７における切替動作タイミングチャートであり、（Ａ）は本発明、（Ｂ）は従来の場合を示す。
【図９】切替部の例８における切替動作タイミングチャートであり、（Ａ）は本発明、（Ｂ）は従来の場合を示す。
【図１０】例３における従来技術と本発明の切替動作の比較説明図である。
【図１１】例４における従来技術と本発明の切替動作の比較説明図である。
【図１２】典型的な無瞬断切替回路の構成を示すブロック図である。
【図１３】図１２における切替部の制御部の構成図である。
【図１４】従来技術における３回一致ポーリングによる通知の動作説明図である。
【符号の説明】
１０  状態遷移部
１１  運用系側のアラーム情報
１２  予備系側のアラーム情報
１３  切替制御信号
１４  フィードバック信号（前状態）
１５  ステータス信号
１６  タイマ
【図１】
2004214867.tif 000003
【図２】
2004214867.tif 000004
【図３】
2004214867.tif 000005
【図４】
2004214867.tif 000006
【図５】
2004214867.tif 000007
【図６】
2004214867.tif 000008
【図７】
2004214867.tif 000009
【図８】
2004214867.tif 000010
【図９】
2004214867.tif 000011
【図１０】
2004214867.tif 000012
【図１１】
2004214867.tif 000013
【図１２】
2004214867.tif 000014
【図１３】
2004214867.tif 000015
【図１４】
2004214867.tif 000016